(57)【要約】【課題】  従来の携帯通信端末装置では電子メールを送信する場合、送信文の全文を手入力しなければならず、面倒であつた。【解決手段】  比較的良く使われる定型文を幾つか記憶させておく。定型文の一部にユーザが入力した文字列を挿入できるようにして送信文の作成時における手間を削減する。【選択図】        図３
2004343778.tif 000002
【特許請求の範囲】
【請求項１】
動作モードの選択及び情報の入力に用いられる入力手段と、
上記入力手段によつて入力された情報又は予め登録されている情報を表示する表示手段と、
複数の定型文が記憶されている記憶手段と、
電子メールの作成時、上記記憶手段から上記複数の定型文の中から選択された定型文を上記表示手段の画面上に表示させると共に、上記入力手段によつて指定された上記定型文の所定の位置に上記入力手段を用いて入力された任意の文字列を挿入して送信文を完成させる制御手段と
を具えることを特徴とする携帯通信端末装置。
【請求項２】
上記制御手段は上記定型文の修正も受け付ける
ことを特徴とする請求項１に記載の携帯通信端末装置。
【請求項３】
上記入力手段は確定機能付きのロータリエンコーダである
ことを特徴とする請求項１に記載の携帯通信端末装置。
【発明の詳細な説明】
【技術分野】
【０００１】
本発明は携帯通信端末装置に関する。例えば携帯電話機に適用し得る。
【背景技術】
【０００２】
今日、携帯電話サービスの中には比較的短文のテキストデータを端末間で伝送できる電子メール機能を具えたものある。通常、この機能を利用する場合、ユーザは送信する文章を全てテンキー等の入力装置を用いて入力している。
【発明の開示】
【発明が解決しようとする課題】
【０００３】
ところで携帯電話機の場合、入力に用いることができるキー数は限られており、またキー自体も小さいので単文であつてもその入力時の手間は多大であり、時間のかかる面倒な作業であつた。
【０００４】
本発明は以上の点を考慮してなされたもので、従来に比して迅速かつ簡単に送信する文章を入力することができる携帯通信端末装置を提案しようとするものである。
【課題を解決するための手段】
【０００５】
かかる課題を解決するため本発明においては、複数の定型文が記憶されている記憶手段と、電子メールの作成時、記憶手段から複数の定型文の中から選択された定型文を表示手段の画面上に表示させると共に、入力手段によつて指定された定型文の所定の位置に入力手段を用いて入力された任意の文字列を挿入して送信文を完成させる制御手段とを設けるようにする。
電子メールの作成時、選択した定型文の一部に任意の文字列を加えるだけで送信文を完成できる。
【発明の効果】
【０００６】
上述のように本発明によれば、電子メールの作成時、選択した定型文の一部に任意の文字列を加えるだけで送信文を完成できることにより、送信文を迅速かつ簡単に作成することができる。
【発明を実施するための最良の形態】
【０００７】
以下図面について、本発明の一実施の形態を詳述する。
【０００８】
（１）全体構成
図１に本発明に係る携帯通信端末装置の一例として携帯電話機１を示す。
携帯電話機１は制御回路２を中心に構成されている。制御回路２はマイクロプロセツサ構成でなり、変復調回路３及び音声符号化／復号化回路４等の内部回路を制御するようになされている。
【０００９】
受信時、変復調回路３はアンテナによつて受信された無線周波数帯域の信号をスイツチＳＷを介して入力し、復調された信号を音声符号化／復号化回路４に出力するように動作する。このとき音声符号化／復号化回路４は復調された信号を音声信号に復号し、アンプ５を介してスピーカ６に出力する。
【００１０】
送信時、音声符号化／復号化回路４はマイクロホン７及びアンプ８を介して入力した音声信号を符号化し、変復調回路３に出力するように動作する。このとき変復調回路３は入力された音声信号を無線周波数帯域の信号に変調し、スイツチＳＷ及びアンテナを介して発信する。
【００１１】
なおこの携帯電話機１には相手先の電話番号や名前を電話帳に登録できる他、比較的短文の文章を送受できる電子メール機能が設けられている。これら機能の実行時に文字や数字の入力等に用いられるのがボタンキー９及びジヨグダイヤル１０である。
因にボタンキー９は１０個の数字キー「０」〜「９」の他、幾つかの押しボタン式キーによつて構成されている。
【００１２】
さてこの実施例の場合、ボタンキー９を構成する１０個の数字キー「０」〜「９」のうち「０」及び「１」を除く８個の数字キー「２」〜「９」には複数のアルフアベツトがそれぞれ割り当てられており、これら各キーによつてアルフアベツトを入力できるようになされている。例えば「２」には「ａ」〜「ｃ」、「３」には「ｄ」〜「ｆ」が割り当てられている。他のキーも同様である。
【００１３】
なおアルフアベツトを入力するには、文字が割当てられている数字キーを何回か押せば良い。例えば［ａ」は数字キー「２」を１回押せば良く、「ｂ］は数字キー「２」を２回押せば良い。同様に「ｃ］は数字キー「２」を３回押せば入力することができる。
【００１４】
一方、ジヨグダイヤル１０は、図２に示すように、円周方向（Ａ←→Ｂ）に回転自在であると共に半径方向（Ｃ←→Ｄ）にもスライド自在の円板状の部材とスイツチＳＷとによつて構成されている。因に円板状の部材は電極パターンが形成された面を対面させてなる２枚の円板を不図示のスライド板に固定したロータリエンコダー１０Ａでなる。ここでスライド板は通常、バネの力によつて矢印Ｃの方向に押されており、ユーザがジヨグダイヤル１０を半径方向に押したときだけスライドしてスイツチＳＷの電極を閉じる。
【００１５】
ユーザはこのジヨグダイヤル１０を円周方向に回転させることによつてカーソルの表示される行を上下に移動させたり、文字を切り換えることができる。またユーザはジヨグダイヤル１０を半径方向に押すことによつて機能の選択を確定したり、文字の入力を確定できるようになされている。
なおこれらボタンキー９やジヨグダイヤル１０を用いて入力されたり選択された情報はメモリ１１に記憶されるようになされている。
【００１６】
この実施例の場合、メモリ１１はこれら情報の記憶に用いられる他、電子メール用の定型文を記憶するのに用いられている。ここでメモリ１１に記憶されている定型文は電子メールの作成時に比較的良く用いられる文章であり、ユーザが作成した文字列を所定位置に挿入することできるようになされている。この定型文の表示例を図３に示す。ここで「▽」で示す位置がユーザの作成した文を挿入できる位置である。これら各種情報はＬＣＤ駆動回路１２によつて駆動されるＬＣＤ装置１３に表示される。
【００１７】
（２）電子メール機能
続いて電子メール機能選択時に実行される送信文入力手順を図４を用いて説明する。
機能の一覧表が表示された状態で電子メール機能が選択されたことを検出すると、制御回路２はステツプＳＰ１からステツプＳＰ２に移つてメツセージ作成機能を呼び出す。このメツセージ作成機能が起動すると、制御回路２はステツプＳＰ３に移つて定型文を選択する画面に移り、ユーザの選択を待ち受ける。ここでユーザが１つを選択すると、制御回路２はステツプＳＰ４に移り、選択された定型文をＬＣＤ装置１３の画面上に表示する。
【００１８】
かかる状態になると、制御回路２はステツプＳＰ５において、ユーザからの入力があつたか否かを判定する処理に移り、何らかの入力があると、ステツプＳＰ６に移つて入力の内容が挿入場所を選ぶものであつたか否か判定する。
ここでユーザの操作が挿入場所の選択であつた場合、制御回路２は肯定結果を得てステツプＳＰ７に進み、指示された位置にカーソルＫを移動させるようにＬＣＤ駆動回路１２に指示を送る。
この後、制御回路２はステツプＳＰ８の処理に移り、指示された位置にカーソルＫを表示させてステツプＳＰ５に戻る。
【００１９】
さてステツプＳＰ５における操作が挿入場所の選択でなかつた場合、制御回路２はステツプＳＰ６において否定結果を得てステツプＳＰ９に進み、入力内容が入力を確定する指示であつたか否か判断する。
ここで否定結果が得られた場合、制御回路２はまだ短文の作成が終了していないとしてステツプＳＰ１０に進み、ユーザが入力した文字列をカーソルＫの位置する位置（行）に挿入するようＬＣＤ駆動回路１２に指示を送る。
【００２０】
この後、制御回路２はステツプＳＰ１１の処理に移り、指示された位置に入力された文字列を表示してステツプＳＰ５に戻る。
これに対してステツプＳＰ９において、肯定結果が得られた場合、制御回路２はステツプＳＰ１２の処理に移つて作成された短文を変復調回路３を介して送信させ、ステツプＳＰ１３においてメツセージ作成機能及び電子メール機能を終了するようになされている。
【００２１】
（３）表示例
以上の構成において、電子メール機能のメツセージ作成機能を用いた短文の作成時動作例を図５及び図６に示す。
まずユーザが機能選択画面で電子メール機能を選択すると、ＬＣＤ装置１１の画面上には複数の定型文を選択する画面に移る。
ここでユーザが例えば電話連絡を求める際に定型文を選択すると、図５（Ａ）に示すような画面が表示される。
【００２２】
ユーザはこの表示画面を見ながら文字列を入力する位置を選択するためジヨグダイヤル１０を円周方向に回転し、カーソルＫの位置を移動させる。この図５（Ａ）は、ジヨグダイヤル１０を円周方向下向きに回転させ、「ｆｒｏｍ」の後にカーソルＫを移動させた例である。
さてこのように目的とする挿入位置が決まると、ユーザは任意の文字列をボタンキー９を用いて入力する。
この例の場合、ユーザは「ＭＩＫＥ」と入力している。この入力途中の様子を表したのが図５（Ｂ）である。
【００２３】
さて「ＭＩＫＥ」と入力するだけで他の文字列を入力しないのであれば、ユーザはジヨグダイヤル１０を円周方向下向きに回転させ、入力確定記号の上にカーソルＫを移動させることにより送信文の確定を入力する。
この送信文の確定後、携帯電話機１はアンテナを介して「please call me. dial no. at. from MIKE」といつた短文を送信する。
【００２４】
以上の構成によれば、ユーザは送信文の全文を入力しなくても定型文を用いてごくわずかの文字列を入力するだけで必要な情報を相手先に送信することができる。これによりユーザの電子メール機能の使い勝手を一段と向上させることができる携帯電話機１を実現することができる。
【００２５】
（４）他の実施例
なお上述の実施例においては、定型文の例として図３に示すような１文について述べたが、本発明はこれに限らず、これ以外の様々な定型文に適用し得る。
また上述の実施例においては、文字列を挿入できる位置は予め記憶されている定型文のうち「▽」で示されている場所だけとしたが、これらの場所以外にも挿入できるようにしても良い。また予め記憶されている文字列についても修正できるようにしても良い。
【００２６】
さらに上述の実施例においては、入力確定記号上にカーソルＫを移動することに作成文の入力を確定する場合について述べたが、本発明はこれに限らず、他の方法によつて入力の確定を携帯電話機１に指示しても良い。例えば入力確定キーがある場合には、そのボタン操作を押下することによつて確定しても良い。またジヨグダイヤル１０の半径方向への押し込み操作によつて入力を確定しても良い。またカーソルＫが文書全体に移動し得るのであれば、「▽」以外の場所をカーソルＫで選択することにより入力を確定しても良い。
【００２７】
さらに上述の実施例においては、ジヨグダイヤル１０として図２に示す構造のものを用いる場合について述べたが、本発明はこれに限らず、他の構造を採るものについても適用し得る。またジヨグダイヤル１０に代えて、円周方向への操作時に手を離すと常にニユートラルの位置に戻るような、シヤトルキーを用いても良い。
【００２８】
また上述の実施例においては、携帯電話機１における入力手段としてボタンキー９とジヨグダイヤル１０の２つを設ける場合について述べたが、本発明はこれに限らず、いずれか一方のみの場合にも適用し得る。すなわちボタンキー９だけを入力手段とする携帯電話機１にも、ジヨグダイヤル１０だけを入力手段とする携帯電話機１にも適用し得る。
【００２９】
さらに上述の実施例においては、表示手段としてＬＣＤ装置について述べたが、本発明はこれに限らず、これ以外の表示手段を用いる場合にも適用し得る。
さらに上述の実施例においては、通信端末装置の例として携帯電話機について述べたが、本発明はこれに限らず、携帯情報端末等の通信端末装置にも適用し得る。
【産業上の利用可能性】
【００３０】
本発明は、携帯電話機のほか、種々の携帯通信端末装置に広く適用することができる。
【図面の簡単な説明】
【００３１】
【図１】本発明による携帯通信端末装置の一例を示すブロツク図である。
【図２】ジヨグダイヤルの構成例を示す略線図である。
【図３】定型文の一例を示す略線図である。
【図４】電子メール機能選択時の処理手順を示すフローチヤートである。
【図５】定型文を用いた送信文作成時の表示画面を示す略線図である。
【図６】入力確定時の表示画面を示す略線図である。
【符号の説明】
【００３２】
１……携帯電話機、２……制御回路、３……変復調回路、４……音声符号化／復号化回路、５、８……アンプ、６……スピーカ、７……マイクロホン、９……ボタンキー、１０……ジヨグダイヤル、１１……メモリ、１２……ＬＣＤ駆動回路、１３……ＬＣＤ装置。
【図１】
2004343778.tif 000003
【図２】
2004343778.tif 000004
【図３】
2004343778.tif 000005
【図４】
2004343778.tif 000006
【図５】
2004343778.tif 000007
【図６】
2004343778.tif 000008
【手続補正書】
【提出日】平成16年6月16日(2004.6.16)
【手続補正１】
【補正対象書類名】特許請求の範囲
【補正対象項目名】全文
【補正方法】変更
【補正の内容】
【特許請求の範囲】
【請求項１】
電子メール機能を備え、当該電子メール機能の実行時に定型文を用いた送信文の作成が可能な携帯通信端末装置において、
所定位置に任意の文字列が挿入可能な定型文を記憶した記憶手段と、
上記記憶手段に記憶されている定型文又は所定キーの操作によって入力された文字列と共に、当該定型文又は文字列を挿入可能な位置を示すカーソルを表示する表示手段と、
回転操作自在に構成された回転操作部を少なくとも有し、当該回転操作部の円周方向への回転操作に応じて上記記憶手段に記憶されている上記定型文の中から所望の定型文を選択可能であると共に、上記表示手段に表示された定型文における任意の文字列を挿入可能な位置を選択可能である操作手段と、
上記電子メール機能の実行時に送信文を作成する際、上記記憶手段に記憶されている上記定型文の中から上記回転操作部の円周方向への回転操作により選択された定型文を上記表示手段に表示させると共に、表示された当該定型文に対して任意の文字列を挿入する位置が上記回転操作部の円周方向への回転操作を含む上記操作手段の操作により選択された場合、当該選択された位置に上記カーソルを移動させ、当該カーソルの位置に上記所定キーの操作によって入力された任意の文字列を挿入し、上記操作手段の所定操作に基づき送信文を完成させる制御手段と
を具えることを特徴とする携帯通信端末装置。
【請求項２】
上記表示手段に表示された定型文に対する文字列の挿入位置の選択は、上記回転操作部の円周方向への回転操作に応じて、上記制御手段が上記カーソルの位置を上下へ移動させることによりなされることを含む
ことを特徴とする請求項１に記載の携帯通信端末装置。
【請求項３】
上記操作手段はさらに押下操作部を有し、
上記制御手段において、上記表示手段に表示された定型文に対する文字列の挿入位置の選択は、上記回転操作部の円周方向への回転操作又は上記押下操作部の押下操作によりなされる
ことを特徴とする請求項１又は請求項２に記載の携帯通信端末装置。
【請求項４】
上記操作手段はさらに押下操作部を有し、
上記制御手段において、上記送信文の完成は、上記押下操作部の押下操作によりなされる
ことを特徴とする請求項１又は請求項２に記載の携帯通信端末装置。
【請求項５】
上記操作手段における上記回転操作部は、さらに半径方向に押下操作自在に構成されており、
上記制御手段において、上記送信文の完成は、上記回転操作部の半径方向への押下操作によりなされる
ことを特徴とする請求項１又は請求項２に記載の携帯通信端末装置。
【請求項６】
上記表示手段はさらに入力確定記号を表示し、
上記制御手段において、上記送信文の完成は、上記回転操作部の円周方向への回転操作に基づき上記カーソルを上記入力確定記号上に移動することによりなされる
ことを特徴とする請求項１乃至請求項３のいずれかに記載の携帯通信端末装置。
【請求項７】
上記制御手段は、上記定型文の修正も受け付ける
ことを特徴とする請求項１乃至請求項６のいずれかに記載の携帯通信端末装置。
【請求項８】
上記操作手段における上記回転操作部は、確定機能付きのロータリエンコーダである
ことを特徴とする請求項１乃至請求項７のいずれかに記載の携帯通信端末装置。
【手続補正２】
【補正対象書類名】明細書
【補正対象項目名】０００５
【補正方法】変更
【補正の内容】
【０００５】
かかる課題を解決するため本発明においては、電子メール機能を備え、当該電子メール機能の実行時に定型文を用いた送信文の作成が可能な携帯通信端末装置において、所定位置に任意の文字列が挿入可能な定型文を記憶した記憶手段と、記憶手段に記憶されている定型文又は所定キーの操作によって入力された文字列と共に、当該定型文又は文字列を挿入可能な位置を示すカーソルを表示する表示手段と、回転操作自在に構成された回転操作部を少なくとも有し、当該回転操作部の円周方向への回転操作に応じて記憶手段に記憶されている定型文の中から所望の定型文を選択可能であると共に、表示手段に表示された定型文における任意の文字列を挿入可能な位置を選択可能である操作手段と、電子メール機能の実行時に送信文を作成する際、記憶手段に記憶されている定型文の中から回転操作部の円周方向への回転操作により選択された定型文を表示手段に表示させると共に、表示された当該定型文に対して任意の文字列を挿入する位置が回転操作部の円周方向への回転操作を含む操作手段の操作により選択された場合、当該選択された位置にカーソルを移動させ、当該カーソルの位置に所定キーの操作によって入力された任意の文字列を挿入し、操作手段の所定操作に基づき送信文を完成させる制御手段とを設けるようにした。
電子メールの作成時、選択した定型文の一部に任意の文字列を加えるだけで送信文を完成できる。